【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
（Ａ）水によって架橋可能な、少なくとも２個の有機ケイ素末端基を有する有機プレポリマーＰを少なくとも５質量％、
（Ｂ）ホウ酸および／またはホウ酸エステルを０．０１〜３．０質量％および
（Ｃ）アミン成分を０．０１〜３．０質量％
含有する組成物。
【請求項２】
プレポリマーＰが式（Ｉ）
−Ｙ−Ｒ1−Ｓｉ（Ｒ3）n（ＯＲ2）3-n    （Ｉ）
〔式中、Ｙは、二価結合基によって表わされ、
Ｒ1は、１〜１０個の炭素原子を有する二価炭化水素単位によって表わされ、
ＯＲ2は、同一かまたは異なり、互いに独立して、アルコキシ基によって表わされ、その際にＲ2は、１〜１０個の炭素原子を有するアルキル基であり、および／またはＯＲ2は、フェノキシ基、ナフチルオキシ基、オルト位、メタ位および／またはパラ位で、Ｃ1〜Ｃ20アルキル−、アルキルアリール−、アルコキシ−、フェニル−、置換フェニル−、チオアルキル−、ニトロ−、ハロゲン−、ニトリル−、カルボキシアルキル−、カルボキシアミド−、−ＮＨ2および／またはＮＨＲ4−基で置換されているフェノキシ基であり、その中でＲ4は、線状、分枝鎖状または環状のＣ1〜Ｃ20アルキル基であり、
Ｒ3は、同一かまたは異なり、互いに独立して、それぞれ１〜１５個の炭素原子を有する、アルキル、アルケニル、アリール、アリールアルキルまたはアルキルアリールによって表わされ、その際に前記基は、酸素原子および／または硫黄原子および／または窒素原子を含んでいてよく、
ｎは、０、１または２によって表わされる〕で示される有機ケイ素末端基を含むことを特徴とする、請求項１記載の組成物。
【請求項３】
Ｙが、−Ｎ（Ｃ＝Ｏ）−、−ＮＲ−、−ＮＨ−もしくは−Ｓ−またはオルガノポリシロキサンによって表わされ、
Ｒが、１〜２０個の炭素原子を有するアルキル基またはアリール基によって表わされ、
ＯＲ2が、同一かまたは異なり、互いに独立して、アルコキシ基によって表わされ、その際にＲ2は、１〜５個の炭素原子を有するアルキル基であることを特徴とする、請求項２記載の組成物。
【請求項４】
ホウ酸および／またはホウ酸エステル対アミン成分のモル比が１：０．００３〜１：３００であることを特徴とする、請求項１から３までのいずれか１項に記載の組成物。
【請求項５】
ホウ酸エステルが、一連のホウ酸トリ−Ｃ1〜Ｃ6アルキルエステル、ジオールのエステル、アミノアルコールとジオールとの混合型ホウ酸エステルならびに酸のエステルからの少なくとも１つの化合物であることを特徴とする、請求項１から４までのいずれか１項に記載の組成物。
【請求項６】
有機プレポリマーＰがアクリレート、ポリウレタン、ポリ尿素、ポリエーテルおよびポリエステルをベースとする、少なくとも１つのポリマー化合物であることを特徴とする、請求項１から５までのいずれか１項に記載の組成物。
【請求項７】
アミン成分が、一連のブチルアミン、ヘキシルアミン、トリエチルアミン、オクチルアミン、ラウリルアミン、ジブチルアミン、３−（ジメチルアミノ）−１−プロピルアミン、ジアザ−ビシクロ−オクタン（ＤＡＢＣＯ）、Ｎ−（２−ヒドロキシエトキシエチル）−２−アザノルボルナン、１，８−ジアザジシクロ［５．４．０］ウンデセン−７（ＤＢＵ）および１，５−ジアザビシクロ［４．３．０］ノン−５−エンからの少なくとも１つのアミンおよび／または一連のケチミン、アルジミン、エナミンおよびオキシゾリジンからの少なくとも１つの潜在性アミンであることを特徴とする、請求項１から６までのいずれか１項に記載の組成物。
【請求項８】
前記組成物が一連の助剤および添加剤、分散剤、被膜形成助剤、顔料、レオロジー助剤、水捕捉剤、付着助剤、触媒、可塑剤、光安定剤および老化安定剤、難燃剤および／または殺生剤からの少なくとも１つのさらなる内容物質を含むことを特徴とする、請求項１から７までのいずれか１項に記載の組成物。
【請求項９】
前記組成物が接着剤もしくはシーラントまたは被覆であることを特徴とする、請求項１から８までのいずれか１項に記載の組成物。
【請求項１０】
（Ｂ）は、ホウ酸であり、このホウ酸は、アミン成分（Ｃ）とは別に二成分系中に存在し、および前記成分は、互いに混合される、請求項１から９までのいずれか１項に記載の組成物の硬化方法。
【請求項１１】
硬化は、周囲湿分の不在下で実施される、請求項１０記載の組成物の硬化方法。
【請求項１２】
（Ｂ）は、ホウ酸エステルであり、前記組成物は、一成分系として存在し、かつ周囲湿分に晒される、請求項１から９までのいずれか１項に記載の組成物の硬化方法。
【請求項１３】
（Ｂ）は、ホウ酸であり、このホウ酸は、マトリックス中に閉じ込められており、前記組成物は、一成分系として存在し、および前記組成物は、ホウ酸がマトリックスから遊離される条件に晒される、請求項１から９までのいずれか１項に記載の組成物の硬化方法。
【請求項１４】
アミン成分（Ｃ）は、マトリックス中に閉じ込められており、前記組成物は、一成分系として存在し、および前記組成物は、アミン成分（Ｃ）がマトリックスから遊離される条件に晒される、請求項１から９までのいずれか１項に記載の組成物を硬化させる方法。
【請求項１５】
請求項１から９までのいずれか１項に記載の組成物中の、縮合触媒としてのホウ酸および／またはホウ酸エステルおよびアミン成分の使用。
【手続補正２】
【補正対象書類名】明細書
【補正対象項目名】００１０
【補正方法】変更
【補正の内容】
【００１０】
好ましい実施態様において、プレポリマーＰは、式（Ｉ）
−Ｙ−Ｒ1−Ｓｉ（Ｒ3）n（ＯＲ2）3-n    （Ｉ）
〔式中、Ｙは、二価結合基によって表わされ、
Ｒ1は、１〜１０個の炭素原子を有する二価炭化水素単位によって表わされ、
ＯＲ2は、同一かまたは異なり、互いに独立して、アルコキシ基によって表わされ、その際にＲ2は、１〜１０個の炭素原子を有するアルキル基であり、および／またはＯＲ2は、フェノキシ基、ナフチルオキシ基、オルト位、メタ位および／またはパラ位で、Ｃ1〜Ｃ20アルキル−、アルキルアリール−、アルコキシ−、フェニル−、置換フェニル−、チオアルキル−、ニトロ−、ハロゲン−、ニトリル−、カルボキシアルキル−、カルボキシアミド−、−ＮＨ2および／またはＮＨＲ4−基で置換されているフェノキシ基であり、その中でＲ4は、線状、分枝鎖状または環状のＣ1〜Ｃ20アルキル基、例えばメチル、エチル、プロピル（ｎ−、イソ−）、ブチル（ｎ−、イソ−、ｓ−）またはフェニルであり、
Ｒ3は、同一かまたは異なり、互いに独立して、それぞれ１〜１５個の炭素原子を有する、アルキル、アルケニル、アリール、アリールアルキルまたはアルキルアリールによって表わされ、その際に前記基は、酸素原子および／または硫黄原子および／または窒素原子を含んでいてよく、
ｎは、０、１または２によって表わされる〕で示される有機ケイ素末端基を含む。
【手続補正３】
【補正対象書類名】明細書
【補正対象項目名】００６５
【補正方法】変更
【補正の内容】
【００６５】
成分（Ａ）、（Ｂ）および（Ｃ）の他に、本発明による組成物は、使用目的に応じて、さらに他の成分を含むことができる。殊に、これは、一連の助剤および添加剤、分散剤、被膜形成助剤、顔料、レオロジー助剤、水捕捉剤、付着助剤、触媒、可塑剤、光安定剤および老化安定剤、難燃剤および／または殺生剤からの少なくとも１つのさらなる内容物質である。これは、殊に以下の成分であってよい：
−  付着助剤、例えばエポキシシラン、アンハイドライドシラン、シランと第一級アミノシランとの付加物、ウレイドシラン、アミノシラン、ジアミノシラン、ならびにモノマーまたはオリゴマーとしての前記シランの類似体および尿素シラン；例えば、Ｄｙｎａｓｙｌａｎ  ＡＭＥＯ，Ｄｙｎａｓｙｌａｎ  ＡＭＭＯ、Ｄｙｎａｓｙｌａｎ  ＤＡＭＯ−Ｔ、Ｄｙｎａｓｙｌａｎ  １１４６、Ｄｙｎａｓｙｌａｎ  １１８９、Ｓｉｌｑｕｅｓｔ  Ａ−Ｌｉｎｋ  １５、エポキシ樹脂、アルキルチタン酸塩、チタンキレート、芳香族ポリイソシアネート、フェノール樹脂；
−  水捕捉剤、例えばビニルトリエトキシシラン、ビニルトリメトキシシラン、α官能性シラン、例えばＮ−（シリルメチル）−Ｏ−メチル−カルバメート、殊にＮ−（メチルジメトキシ−シリルエチル）−Ｏ−メチル−カルバメート、（メタクリルオキシメチル）シラン、メトキシメチルシラン、Ｎ−フェニルシラン、Ｎ−シクロヘキシルシランおよびＮ−アルキルシラン、オルトギ酸エステル、酸化カルシウムまたはモレキュラーシーブ；
−  触媒、例えばビスマス有機化合物またはビスマス錯体。更に、金属触媒として、チタン触媒、ジルコニウム触媒、亜鉛触媒、Ｓｎ触媒およびリチウム触媒ならびに金属カルボキシレートがこれに該当し、その際に様々な金属触媒の組合せが使用されてもよい。
−  殊に、安定剤として、熱、光およびＵＶ線に対して作用を有する光安定剤および老化安定剤、例えばラジカル捕捉剤として機能する、フェノール性酸化防止剤、例えば２，６−ジ−ｔ−ブチル−ｐ−クレゾール、２，６−ジ−ｔ−ブチルフェノール、２，４−ジメチル−６−ｔ−ブチルフェノール、２，２’−メチレン−ビス（４−メチル−６−ｔ−ブチルフェノール）、４，４’−ブチリデン−ビス（３−メチル−６−ｔ−ブチルフェノール）、４，４’−チオ−ビス（３−メチル−６−ｔ−ブチルフェノール）、５−テトラキス［メチレン−３−（３，５−ジ−ｔ−ブチル−４−ヒドロキシフェニル）プロピオネート］メタンおよび１，１，３−トリス（２−メチル−４−ヒドロキシ−５−ｔ−ブチルフェニル）ブタンおよびアミン（例えば、フェニル−β−ナフチルアミン、α−ナフチルアミン、Ｎ，Ｎ’−ジ−ｓ−ブチル−ｐ−フェニレンジアミン、フェノチアジンおよびＮ，Ｎ’−ジフェニル−ｐ−フェニレンジアミン）をベースとする酸化防止剤；
−  難燃剤；
−  殺生剤、例えば殺藻剤、または真菌類の成長を抑制する物質；
−  充填剤、例えば任意に脂肪剤または脂肪酸混合物、例えばステアリン酸塩で被覆されている粉砕された炭酸カルシウムまたは沈降炭酸カルシウム、殊に微粒状の被覆された炭酸カルシウム、カーボンブラック、殊に工業的に製造されたカーボンブラック、カオリン、酸化アルミニウム、ケイ酸、殊に熱分解法による高分散性ケイ酸、ＰＶＣ粉末または中空球。好ましい充填剤は、カーボンブラック、炭酸カルシウム、例えば沈降炭酸カルシウムまたは天然の白亜型の炭酸カルシウム、例えばＯｍｙａ社のＯｍｙａｃａｒｂ（登録商標）、Ｓｐｅｃｉａｌｔｙ  Ｍｉｎｅｒａｌｓ  Ｉｎｃ．社のＵｌｔｒａ  Ｐ−Ｆｌｅｘ（登録商標）、Ｓｏｌｖａｙ社のＳｏｃａｌ（登録商標）Ｕ  １  Ｓ２、Ｓｏｃａｌ（登録商標）３１２、Ｗｉｎｎｏｆｉｌ（登録商標）、Ｓｈｉｒａｉｓｈｉ社のＨａｋｕｅｎｋａ（登録商標）、熱分解法による高分散性ケイ酸ならびに前記充填剤からの組合せである。同様に、鉱物、例えば珪藻土、タルク、無水物、半水和物または二水和物の形の硫酸カルシウム（石膏）、石英粉、シリカゲル、沈降硫酸バリウムまたは天然の硫酸バリウム、二酸化チタン、ゼオライト、リューサイト、カリ長石、バイオタイド（Ｂｉｏｔｉｄ）、ソロケイ酸塩、サイクロケイ酸塩、イノケイ酸塩、フィロケイ酸塩およびテクトケイ酸塩の群、難溶性硫酸塩、例えば石膏、硬石膏または重晶石ならびにカルシウム鉱物、例えば方解石、粉末状金属（例えば、アルミニウム、亜鉛または鉄）および硫酸バリウム；
−  レオロジー改質剤、例えば増粘剤、例えば尿素化合物、ポリアミドワックス、ベントナイト、シリコーン、ポリシロキサン、水素化ヒマシ油、金属石鹸、例えばステアリン酸カルシウム、ステアリン酸アルミニウム、ステアリン酸バリウム、熱分解法珪酸ならびにオキシ−１，２−エタンジイル−α−ヒドロ−Ω−ヒドロキシ−ノニル−フェノキシグリシジルエーテルオリゴマーを有するポリ（オキシ−１，２−エタンジイル）−α−ヒドロ−Ω−ヒドロキシ−ポリマーおよび５−イソシアナト−１−（イソシアナトメチル）−１，３，３−トリメチルシクロヘキサンまたはヒドロキシエチルセルロースまたはポリアクリル酸ポリマーおよびポリアクリル酸コポリマー；
−  界面活性剤、例えば湿潤剤、展着剤、脱気剤、消泡剤および分散剤；
−  繊維、例えば炭素、セルロース、ポリエチレンまたはプロピレンからの繊維；
−  顔料、例えば二酸化チタン；
−  溶剤、例えば水、芳香族炭化水素、例えばトルエンおよびキシレン、エステル、例えば酢酸エチルエステル、酢酸ブチルエステル、酢酸アリルエステルおよび酢酸セルロースをベースとする溶剤、およびケトン、例えばメチルエチルケトン、メチルイソブチルケトンおよびジイソブチルケトンをベースとする溶剤ならびにアセトン、アルコール、例えばイソノニルアルコールおよび前記溶剤の少なくとも２つからなる混合物
ならびに殊に接着剤およびシーラントならびに被覆の範囲内でそれぞれの使用目的に適している、さらなる物質。